(57)【要約】【課題】偽のIDカードを好適に検出する真贋判定装置等を提供する。【解決手段】真贋判定システム１は、IDカード１０を読取る読取装置２とIDカード１０の真贋判定を行う真贋判定装置３を有する。真贋判定装置３は、IDカード１０のプレ印刷部分の画像における所定方向の濃度値の変化に基づいてIDカード１０の真贋判定を行う。この際、真贋判定装置３は、所定方向に隣接する画素の濃度差の度数分布を求め、その度数分布によりIDカード１０の真贋を判定する。【選択図】図１
2020004238.tif 000002
【特許請求の範囲】
【請求項１】
IDカードの真贋判定を行う真贋判定装置であって、
前記IDカードのプレ印刷部分の画像における所定方向の濃度値の変化に基づいて、前記IDカードの真贋判定を行うことを特徴とする真贋判定装置。
【請求項２】
前記真贋判定装置は、前記所定方向に隣接する画素の濃度差の度数分布を求め、前記度数分布から前記IDカードの真贋判定を行うことを特徴とする請求項１記載の真贋判定装置。
【請求項３】
前記真贋判定装置は、前記度数分布の度数を閾値と比較することにより、前記IDカードの真贋判定を行うことを特徴とする請求項２記載の真贋判定装置。
【請求項４】
前記真贋判定装置は、複数のプレ印刷部分の画像を用いて、前記IDカードの真贋判定を行うことを特徴とする請求項１から請求項３のいずれかに記載の真贋判定装置。
【請求項５】
前記プレ印刷部分は文字であることを特徴とする請求項１から請求項４のいずれかに記載の真贋判定装置。
【請求項６】
コンピュータを、
IDカードの真贋判定を行う真贋判定装置であって、
前記IDカードのプレ印刷部分の画像における所定方向の濃度値の変化に基づいて、前記IDカードの真贋判定を行う真贋判定装置として機能させるためのプログラム。
【発明の詳細な説明】
【技術分野】
【０００１】
本発明は、真贋判定装置とそのプログラムに関する。
【背景技術】
【０００２】
金融機関や携帯電話キャリアなどでは契約時に運転免許証等のIDカードによる本人確認が必要であるが、別人になりすましての契約を行うためにIDカードを偽造するケースが増えつつある。
【０００３】
一般的に、IDカードは、各カードで共通に使用される文字や罫線（プレ印刷部分という）をオフセット印刷方式や凸版印刷方式などによりカードに予め形成し、このカードに対し、カード所持者の氏名や生年月日、住所、顔画像など個々のカードによって異なる情報（オンデマンド情報という）を溶融型熱転写方式、昇華型熱転写方式などの熱転写方式により印刷して製造される。
【０００４】
IDカードの偽造方法の例として、オンデマンド情報を変更した偽の券面画像をインクジェットプリンタで印刷してIDカードの全面に貼り付けるものがあり、特許文献１には、このような偽造を検出するべくインクジェットプリンタで印刷を行った時に現れるモアレ縞を検出可能とした真贋判定装置が記載されている。
【先行技術文献】
【特許文献】
【０００５】
【特許文献１】特開2011-34535号公報
【発明の概要】
【発明が解決しようとする課題】
【０００６】
しかしながら、特許文献１の方法は、インクジェット方式特有のモアレ縞を検出するものであり、インクジェット方式によるプリンタを使用した偽造しか検出できない。
【０００７】
例えばIDカードの偽造方法には、オンデマンド情報を変更した偽の券面画像を昇華型熱転写方式によるプリンタを使用して印刷し、これをIDカードの全面に貼り付けるものもあり、このような偽造を特許文献１の方法で検出することは難しい。
【０００８】
本発明は上記の問題に鑑みてなされたものであり、偽のIDカードを好適に検出する真贋判定装置等を提供することを目的とする。
【課題を解決するための手段】
【０００９】
前述した課題を解決するための第１の発明は、IDカードの真贋判定を行う真贋判定装置であって、前記IDカードのプレ印刷部分の画像における所定方向の濃度値の変化に基づいて、前記IDカードの真贋判定を行うことを特徴とする真贋判定装置である。
【００１０】
前記したように、IDカードのプレ印刷部分はオフセット印刷方式や凸版印刷方式などにより形成され、線の境界部のエッジが明確に現れる。本発明では、このようなプレ印刷部分の特性を利用し、プレ印刷部分の画像の濃度値の変化に基づいて、上記のようなエッジが明確に現れないもの全般を偽のIDカードと判定できる。例えば昇華型熱転写方式により印刷した線の境界部にはグラデーションが現れるため、昇華型熱転写方式により券面画像を印刷したものをIDカードの全面に貼り付けると、プレ印刷部分に該当する部分でも線の境界部にグラデーションが生じることになり、正規のIDカードに対する違いが生じるのでIDカードを偽と判定できる。
【００１１】
前記真贋判定装置は、前記所定方向に隣接する画素の濃度差の度数分布を求め、前記度数分布から前記IDカードの真贋判定を行うことが望ましい。例えば、前記真贋判定装置は、前記度数分布の度数を閾値と比較することにより、前記IDカードの真贋判定を行う。
本発明では、濃度値の変化として、例えば所定方向に隣接する画素の濃度差をとり、その度数分布の形状によりIDカードの真贋判定ができる。真贋判定の方法としては、例えば、特定の濃度差または濃度差の範囲について、度数分布の度数を閾値と比較することで、真贋判定を好適に行うことができる。
【００１２】
前記真贋判定装置は、複数のプレ印刷部分の画像を用いて、前記IDカードの真贋判定を行うことが望ましい。
これにより、IDカードに反りが生じている場合にも、真贋判定の精度を上げることができる。
【００１３】
前記プレ印刷部分は、例えば文字である。
文字は線が密集していることから、線の境界部の濃度変化の違いを利用して真贋判定を行う本発明の真贋判定方法に好適に利用できる。
【００１４】
第２の発明は、コンピュータを、IDカードの真贋判定を行う真贋判定装置であって、前記IDカードのプレ印刷部分の画像における所定方向の濃度値の変化に基づいて、前記IDカードの真贋判定を行う真贋判定装置として機能させるためのプログラムである。
【発明の効果】
【００１５】
本発明により、偽のIDカードを好適に検出する真贋判定装置等を提供することができる。
【図面の簡単な説明】
【００１６】
【図１】真贋判定システム１を示す図。
【図２】真贋判定装置３のハードウェア構成を示す図。
【図３】IDカード１０の券面の例。
【図４】プレ印刷部分の例。
【図５】昇華型熱転写プリンタ１００と熱転写リボン２００を示す図。
【図６】昇華型熱転写方式での印刷方法について説明する図。
【図７】真贋判定方法について示すフローチャート。
【図８】プレ印刷部分の画像３００の例。
【図９】真贋判定方法について説明する図。
【図１０】真贋判定方法について説明する図。
【図１１】複数のプレ印刷部分の画像を判定に用いる例。
【発明を実施するための形態】
【００１７】
以下、図面に基づいて本発明の好適な実施形態について詳細に説明する。
【００１８】
（１．真贋判定システム１）
図１は、本発明の実施形態に係る真贋判定装置３を有する真贋判定システム１を示す図である。図１に示すように、真贋判定システム１は読取装置２と真贋判定装置３を有する。読取装置２と真贋判定装置３は無線または有線による通信手段により通信可能に接続される。
【００１９】
読取装置２はIDカード１０の読取を行うものであり、カメラ２１等を有する。カメラ２１はIDカード１０の券面を撮影するものであり、例えば受光レンズ、撮像素子、A/D(Analog/digital)変換部等を有する既知のカメラを用いることができる。
【００２０】
真贋判定装置３は、IDカード１０の券面画像からIDカード１０の真贋判定を行い、偽のIDカード１０を検出するものである。
【００２１】
図２は真贋判定装置３のハードウェア構成を示す図である。図２に示すように、真贋判定装置３は、制御部３１、記憶部３２、表示部３３、入力部３４、通信制御部３５等をバス等により接続して構成されたコンピュータにより実現できる。ただしこれに限ることは無く、適宜様々な構成をとることができる。
【００２２】
制御部３１はCPU、ROM、RAMなどから構成される。CPUは、記憶部３２、ROMなどの記憶媒体に格納された真贋判定装置３の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３２、ROMなどからロードしたプログラムやデータを一時的に保持するとともに、制御部３１が各種処理を行うために使用するワークエリアを備える。
【００２３】
記憶部３２はハードディスクドライブやソリッドステートドライブ、フラッシュメモリ等であり、後述する処理に際し真贋判定装置３が実行するプログラム、プログラム実行に必要なデータ、OSなどが格納される。これらのプログラムやデータは、制御部３１により必要に応じて読み出され実行される。
【００２４】
表示部３３は液晶ディスプレイ等を備える。
入力部３４は真贋判定装置３に各種の設定入力を行うものである。
通信制御部３５は無線通信を媒介する通信インタフェースであり、読取装置２との間で通信を行う。
【００２５】
（２．IDカード１０）
IDカード１０は、本実施形態において真贋判定の対象となる本人確認用媒体である。図３（ａ）はIDカード１０の概略を示す図であり、IDカード１０の券面の一例を模式的に示したものである。IDカード１０は、例えば運転免許証、マイナンバーカード、在留カード、特別永住者カードなどである。
【００２６】
IDカード１０は金融機関や携帯電話キャリアなどで本人確認に用いられる。IDカード１０は、横に長い略矩形状のカード基材上に、カード所持者の氏名１２、生年月日１３、住所１４および顔画像１８、IDカード１０の交付年月日１５、発行番号１６、有効期限１７などを印刷したものである。
【００２７】
IDカード１０のうち、氏名１２、生年月日１３の「年」「月」「日」「生」を除く文字、住所１４、顔画像１８、交付年月日１５の「年」「月」「日」を除く文字、発行番号１６の「第」「号」を除く文字、有効期限１７などはIDカード１０によって異なるオンデマンド情報であり、溶融型熱転写方式、昇華型熱転写方式などの熱転写方式によってカード基材上に印刷して形成される。
【００２８】
一方、氏名１２、住所１４、交付年月日１５、発行番号１６の記載欄を示す「氏名」「住所」「交付年月日」「番号」などの文字、氏名１２、生年月日１３、住所１４、交付年月日１５、発行番号１６の記載欄の罫線、生年月日１３の「年」「月」「日」「生」の文字、交付年月日１５の「年」「月」「日」の文字、発行番号１６の「第」「号」の文字は、各IDカード１０で共通に使用される。
【００２９】
これらの文字あるいは罫線は、オンデマンド情報の印刷前に、オフセット印刷方式や凸版印刷方式などの印刷方式でカード基材上の決まった位置に予め形成され、プレ印刷部分と呼ばれる。図３（ｂ）はIDカード１０からプレ印刷部分を抜き出したものであり、図３（ｂ）のように予めプレ印刷部分を形成したカード基材に前記のオンデマンド情報を印刷することでIDカード１０が製造される。オンデマンド情報やプレ印刷部分がどのような構成となるかは、運転免許証、マイナンバーカード、在留カード、特別永住者カードなどIDカード１０の種類によって異なる。
【００３０】
図４（ａ）は、IDカード１０のプレ印刷部分の一部として、「番号」の「番」の文字の「田」の部分を拡大した例であり、オフセット印刷方式や凸版印刷方式等で形成される線にはニジミやカスレが無く、境界部のエッジが明確に現れる。この部分が仮に昇華型熱転写方式で印刷されると、図４（ｂ）に示すように線の境界部には明確なエッジが現れずにグラデーションが生じる。これは昇華型熱転写方式での印刷方法によるものなので、以下その印刷方法について簡単に説明する。
【００３１】
（３．昇華型熱転写方式での印刷方法）
昇華型熱転写方式による印刷は図５（ａ）に示す昇華型熱転写プリンタ１００によって行われる。昇華型熱転写プリンタ１００では、供給リール１０１に巻付けた熱転写リボン２００を巻出して矢印ａに示す方向に搬送しつつ、その途中でサーマルヘッド１１０により熱転写リボン２００に熱を加えて熱転写リボン２００の転写層の昇華性染料を印刷対象１１に転写する。転写後の熱転写リボン２００は巻取リール１０２で巻取られる。
【００３２】
図５（ｂ）は熱転写リボン２００の転写層２０２の例であり、Ｙ（イエロー）、Ｍ（マゼンタ）、Ｃ（シアン）の各転写層２０２が熱転写リボン２００の基材上に面順次に配列される。
【００３３】
昇華型熱転写プリンタ１００では、印刷対象１１を搬送しつつ、図６（ａ）に示すように基材２０１上の転写層２０２の昇華性染料を印刷対象１１に転写する。サーマルヘッド１１０は、制御部（不図示）から信号を受けるとサーマルヘッド素子１１１を所定の温度とし、サーマルヘッド素子１１１から熱転写リボン２００に熱を加える。
【００３４】
サーマルヘッド素子１１１が図６（ａ）の転写層２０２の範囲Ｃに熱を加えると、この範囲Ｃの転写層２０２の昇華性染料が気化して印刷対象１１に設けられた受容層１１ａに熱拡散し、転写層２０２の染料が印刷対象１１に転写される。転写層２０２の転写は256階調で行うことができ、印刷対象１１を往復搬送しながらＹ、Ｍ、Ｃの転写層２０２を印刷対象１１上の所定位置に転写することで文字等の印刷が行われる。
【００３５】
前記したように、サーマルヘッド素子１１１の温度は制御部により制御されており、その温度を転写層２０２の転写時のみ所定の温度とするようにオン、オフの信号を与える。しかしながら、図６（ｂ）に示すように、時間ｔ１でオン信号を与えてもサーマルヘッド素子１１１が所定の温度になるまでに遅延ｄｔ１が発生し、その後サーマルヘッド素子１１１に時間ｔ２でオフ信号を与えても、サーマルヘッド素子１１１が元の温度に戻るまでに遅延ｄｔ２が発生する。
【００３６】
サーマルヘッド素子１１１の温度が所定の温度に上昇する間、および所定の温度から元の温度に下降する間にも転写層２０２の昇華性染料はある程度気化して転写され、染料の転写量は上昇中あるいは下降中の温度に比例する。これが、昇華型熱転写方式で印刷された線の境界部に明確なエッジが現れず、図６（ｂ）のＧに示すようなグラデーションが生じる理由である。
【００３７】
前記したように、正規のIDカード１０ではプレ印刷部分がオフセット印刷方式や凸版印刷方式で形成され、線の境界部に明確なエッジが現れるので、上記のように線の境界部に明確なエッジが現れないものを偽のIDカード１０として検出できる。そこで本実施形態では、プレ印刷部分の画像の濃度値の変化に基づいて、上記のような線の境界部の濃度変化の違いを利用したIDカード１０の真贋判定を行う。
【００３８】
（４．真贋判定方法）
図７は本実施形態の真贋判定方法について示すフローチャートである。図７のＳ１〜Ｓ２は読取装置２が実行する処理であり、Ｓ３〜Ｓ７は真贋判定装置３の制御部３１が実行する処理である。図７の処理は、例えばIDカード１０を指定の位置にセットし、真贋判定装置３から読取装置２に処理開始の指示を送信することで開始される。
【００３９】
本実施形態では、まず読取装置２がIDカード１０の券面をカメラ２１によって撮影し（Ｓ１）、IDカード１０の券面画像を真贋判定装置３に送信する（Ｓ２）。本実施形態ではIDカード１０の券面の画像を300dpi（1画素約84ミクロン）の分解能のカメラ２１で撮影し、256の濃度階調のグレースケール画像を得るが、これに限ることはない。
【００４０】
真贋判定装置３は、券面画像を受信する（Ｓ３）と、券面画像のうち、所定のプレ印刷部分の画像の抽出を行う（Ｓ４）。
【００４１】
ここでは、所定のプレ印刷部分として、前記した「番」の文字の画像を抽出するものとし、事前に設定された「番」の文字を含む範囲を券面画像から切り出す。本実施形態では線の境界部の濃度変化の違いを利用して真贋判定を行うので、線の密集した文字の画像が判定に好適であり、なかでも「番」の文字は特に線が密集している。
【００４２】
図８は「番」の文字を抽出した画像３００の例である。この例では、オンデマンド情報を変更した偽の券面画像を昇華型熱転写方式によって印刷したものをIDカード１０の全面に貼り付ける偽造が行われており、「番」のようなプレ印刷部分に該当する部分でも線の境界部に昇華型熱転写方式によるグラデーションが生じている。
【００４３】
真贋判定装置３は、Ｓ４で抽出したプレ印刷部分の画像３００からIDカード１０の真贋判定を行う。真贋判定は画像３００における所定方向の濃度値の変化に基づいて行うが、ここでは画像３００を図９の矢印ｂに示すように所定方向に走査し、所定方向ｂの濃度値の変化として、所定方向ｂに隣接する画素３０１間の濃度差を全て算出する（Ｓ５）。
【００４４】
上記の所定方向ｂは予め定めることができ、ここでは上記のグラデーションが現れる方向、つまりIDカード１０を偽造する際に券面画像を昇華型熱転写方式により印刷する時の熱転写リボン２００の搬送方向（図５（ａ）の矢印ａ参照）に対応しているものとする。図９の例では所定方向ｂをIDカード１０の横方向とし、横方向に隣接する画素３０１間の濃度差（の絶対値）を全て算出する処理を、縦方向の全ての段の画素３０１について行う。
【００４５】
そして、真贋判定装置３は、隣接する画素３０１間の濃度差の度数分布からIDカード１０の真贋判定を行う（Ｓ６）。
【００４６】
本実施形態では、まず図１０（ａ）に示すように隣接する画素３０１間の濃度差の度数分布を求め、その度数を濃度差の最大値から最小値へと順に累積した度数分布（以下、累積度数分布という）を図１０（ｃ）の実線に示すように作成する。
【００４７】
図１０（ａ）は、プレ印刷部分が昇華型熱転写方式で印刷された偽のIDカード１０における濃度差の度数分布の例であり、線の境界部で明確なエッジが現れずにグラデーションが生じる結果、濃度差が大きい部分が比較的少なく、濃度差が中間的な値になる部分が多くなる。また、プレ印刷部分の線がＹＭＣの染料を重ねて印刷されるため、濃度差の最大値自体も比較的小さい。
【００４８】
一方、図１０（ｂ）は、プレ印刷部分がオフセット印刷方式や凸版印刷方式で形成された正規のIDカード１０における濃度差の度数分布の例であり、この場合、前記したように線の境界部に明確なエッジが現れてエッジ部分のみで濃淡が鋭く変化する結果、濃度差が大きい部分と小さい部分が多くなり、また濃度差の最大値自体も大きい。
【００４９】
結果、偽のIDカード１０の累積度数分布（図１１（ｃ）の実線参照）と、正規のIDカード１０の累積度数分布（図１１（ｃ）の鎖線参照）とでは累積度数分布の形状に違いが生じ、本実施形態ではこのような累積度数分布の違いによりIDカード１０の真贋を判定する。
【００５０】
具体的な判定方法は上記の違いを判別できるものであれば特に問わないが、例えば特定の濃度差Ｘ１について所定の閾値Ｖ１を設定し、濃度差Ｘ１における（累積）度数を閾値Ｖ１と比較して度数が閾値Ｖ１以上であれば正規のIDカード１０とし、そうでなければ偽のIDカード１０とする。あるいは特定の濃度差の範囲Ｘ２にある各々の濃度差について所定の閾値Ｖ２を設定し、これらの濃度差の度数の和から閾値Ｖ２の和を引いた値が所定値以上であれば正規のIDカード１０とし、そうでなければ偽のIDカード１０としてもよい。また、濃度差の大きい特定の範囲Ｘ３を設定し、その範囲Ｘ３における度数の和が閾値以上であれば正規のIDカード１０とし、そうでなければ偽のIDカード１０とすることも可能である。
【００５１】
真贋判定装置３は、判定結果を表示部３３に表示し（Ｓ６）、処理を終了する。オペレータは、真贋判定装置３の表示部３３に表示された判定結果を見ることで、IDカード１０が正規のものであるか偽造されたものであるかがわかる。
【００５２】
以上説明したように、本実施形態では、オフセット印刷方式や凸版印刷方式などにより形成された線の境界部に明確なエッジが現れることを利用し、そのようなエッジが明確に現れないIDカード１０を、プレ印刷部分の画像の濃度値の変化に基づいて偽のIDカード１０と判定できる。そのため、昇華型熱転写方式により券面画像を印刷したものをIDカード１０の全面に貼り付けるような偽造等を検出できる。
【００５３】
なお、インクジェット方式により印刷を行う場合も、誤差拡散法により濃淡を表現する結果、線の境界部にニジミやボケが生じるので、インクジェット方式でプレ印刷部分が印刷されたIDカード１０も同様に偽と判定できる。このように、本実施形態の真贋判定方法は、昇華型熱転写方式に限らず、インクジェット方式、あるいはドットの面積で階調を表現するような印刷方式（例えば、電子写真印刷方式）など、線の境界部のエッジが明確に現れないような印刷方式による偽造全般を検出できる。
【００５４】
本実施形態では、上記した濃度値の変化として、所定方向に隣接する画素の濃度差をとり、その度数分布の形状によりIDカード１０の真贋判定ができる。真贋判定の方法としては、例えば、特定の濃度差Ｘ１または濃度差の範囲Ｘ２、Ｘ３について、度数分布の度数を閾値と比較することで、真贋判定を好適に行うことができる。本実施形態では図１１（ｃ）に示したような累積度数分布を真贋判定に用いているが、図１１（ａ）、（ｂ）に示す通常の（累積度数分布でない）度数分布を用いることも可能であり、上記と同様、度数を閾値と比較することで真贋判定を行うことが可能である。
【００５５】
また本実施形態ではプレ印刷部分の文字の画像から真贋判定を行っている。文字は線が密集していることから、線の境界部の濃度変化の違いを利用して真贋判定を行う本実施形態の真贋判定方法に好適に利用できる。
【００５６】
しかしながら、本発明はこれに限らない。例えばIDカード１０をズボンの後ポケット等に入れるとIDカード１０が反り、IDカード１０の撮影時の焦点が合わず、Ｓ４で抽出するプレ印刷部分の画像にボケが生じることがある。このようなボケは正規のIDカード１０を偽のIDカード１０と誤判定する要因となるので、これを防ぐため、カード周辺とそれより内側にある複数のプレ印刷部分の画像を判定に用い、少なくとも一つの画像の焦点が有っていれば判定を正しく行える（正規のIDカード１０を正規のIDカード１０と判定できる）仕組みとしてもよい。これにより判定精度を向上させることができる。
【００５７】
例えば図１１のＡ〜Ｃに示すように、カード周辺の「番」、「生」の文字の画像と、カード中央部の「号」の文字の画像のそれぞれに対しＳ５〜Ｓ６の処理を行い、少なくとも一つの画像で正規のIDカード１０と判定されれば、他の画像での判定結果に関わらずそのIDカード１０を正規のIDカード１０とする。
【００５８】
また、文字ではなくプレ印刷部分の罫線の画像を真贋判定に用いることも可能であり、プレ印刷部分のその他の線を真贋判定に用いてもよい。当該線はIDカード１０の縦方向や横方向に対して傾斜した方向に形成されていてもよい。これらの文字、罫線その他の線は、モノクロ印刷されていてもよいし、カラー印刷されていてもよい。
【００５９】
また、本実施形態では前記したようにプレ印刷部分の画像を所定方向に走査して所定方向の濃度値の変化を調べる。前記の例において、所定方向は偽のIDカード１０の券面画像を昇華型熱転写方式で印刷するときの熱転写リボン２００の搬送方向に対応しており、通常IDカード１０の縦方向または横方向である。ただし、検査段階では熱転写リボン２００の搬送方向がどの方向であるかわからないことが多いので、所定方向を複数の方向、例えばIDカード１０の縦方向と横方向としたときのそれぞれでＳ５〜Ｓ６の処理を行い、いずれかの方向での走査時に偽と判定された場合に、そのIDカード１０を偽とすることが可能である。あるいは、IDカード１０の縦方向および横方向に対して傾斜した方向にプレ印刷部分の画像の走査を行ってもよく、この場合は熱転写リボン２００の搬送方向がIDカード１０の縦方向と横方向のどちらであっても判定を行うことが可能である。
【００６０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６１】
１：真贋判定システム
２：読取装置
３：真贋判定装置
１０：IDカード
１００：昇華型熱転写プリンタ
２００：熱転写リボン
３００：画像
【図１】
2020004238.tif 000003
【図２】
2020004238.tif 000004
【図３】
2020004238.tif 000005
【図４】
2020004238.tif 000006
【図５】
2020004238.tif 000007
【図６】
2020004238.tif 000008
【図７】
2020004238.tif 000009
【図８】
2020004238.tif 000010
【図９】
2020004238.tif 000011
【図１０】
2020004238.tif 000012
【図１１】
2020004238.tif 000013